(57)【特許請求の範囲】
【請求項１】
左右に回動する把持部を備える操作具の前記把持部に装着し使用される、ボルトに取付けられたナット脱落防止キャップを取外し、又はボルトにナット脱落防止キャップを取付けるためのナット脱落防止キャップ着脱先端具であって、
前記ナット脱落防止キャップを着脱する、前記把持部に取付けられる一対の着脱片と、
前記一対の各着脱片に取付けられ、前記着脱片を前記操作具の把持部に装着するアダプタと、
前記一対の各着脱片に取付けられ、前記ボルトから取外された前記ナット脱落防止キャップを落下させることなく保持する保持手段と、を備え、
前記一対の着脱片は、前記操作具の前記把持部を閉じることで先端部がボルトに取付けられたナットと前記ナット脱落防止キャップとの間に差し込まれ、前記ナット脱落防止キャップの鍔部を押下げ可能であり、また先端部に前記ナット脱落防止キャップの鍔部を載置可能なことを特徴とするナット脱落防止キャップ着脱先端具。
【請求項２】
前記一対の各着脱片は、先端部に、前記ボルトの外径よりも大きく、かつ前記ナット脱落防止キャップの鍔部の外径よりも小さい半円状の切欠きを有することを特徴とする請求項１に記載のナット脱落防止キャップ着脱先端具。
【請求項３】
前記着脱片は、板状の部材で形成された、正面視において前記先端部を上面に有するコ字状の着脱部と、前記着脱部の下面の端部に連結する連結部とを有し、
前記アダプタは、前記連結部に取付けられ、
前記操作具の把持部を閉じると、前記一対の着脱片の先端部が互いに当接することを特徴とする請求項１又は請求項２に記載のナット脱落防止キャップ着脱先端具。
【請求項４】
前記保持手段は、前記一対の各着脱片の上面の下方に設けられた保持片であり、
前記一対の各保持片は、それぞれ先端部に、前記ナット脱落防止キャップの円筒部の外径よりも大きく、かつ前記ナット脱落防止キャップの鍔部の外径よりも小さい半円状の切欠きを有すること特徴とする請求項２又は請求項３に記載のナット脱落防止キャップ着脱先端具。
【請求項５】
前記保持手段は、前記着脱部の正面側及び裏面側を覆う内部が視認可能な部材であり、
前記操作具の把持部を閉じたとき、一対の着脱部が空間部を形成し、当該空間部に前記ナット脱落防止キャップを保持可能なことを特徴とする請求項３に記載のナット脱落防止キャップ着脱先端具。
【請求項６】
さらに、小さいナット脱落防止キャップを取外し、又は取付けるための、前記一対の各着脱片に装着し使用する着脱片補助キャップを有し、
前記着脱片補助キャップは、前記着脱片の先端部に嵌め込み可能に構成され、先端部に小さいナット脱落防止キャップに対応した大きさの切欠きが設けられていることを特徴とする請求項１から５のいずれか１項に記載のナット脱落防止キャップ着脱先端具。
【請求項７】
前記一対の各着脱片の先端部は、先細りの楔形状を有することを特徴とする請求項１から６のいずれか１項に記載のナット脱落防止キャップ着脱先端具。
【請求項８】
前記請求項１から７のいずれか１項に記載のナット脱落防止キャップ着脱先端具と、
前記ナット脱落防止キャップ着脱先端具が装着される、左右に回動する把持部を備える操作具と、を備え、
前記操作具が間接活線工具であることを特徴とするナット脱落防止キャップ着脱具。
【発明の詳細な説明】
【技術分野】
【０００１】
本発明は、腕金に固定する高圧ピン碍子のボルトなど、ボルトに取付けられたナットが緩んで落下することを防止するナット脱落防止キャップの着脱に使用するナット脱落防止キャップ着脱先端具及びナット脱落防止キャップ着脱具に関する。
【背景技術】
【０００２】
送配電線を支持する高圧ピン碍子は、電柱に装柱された腕金にナットで固定されるが、このナットが緩んで落下する恐れがある。このため高圧ピン碍子のボルトの先端部にナット脱落防止キャップが取付けられる。高圧ピン碍子の取替えの際には、まずナット脱落防止キャップを取外し、その後、ナットを緩め高圧ピン碍子の取替えが行われる。
【０００３】
従来、ナット脱落防止キャップの取外しには、間接活線工具の１つである絶縁ヤットコが使用されていたが、この方法ではナット脱落防止キャップが落下する危険がある。そこでナット脱落防止キャップを取外すための専用工具が開発されている（例えば特許文献１参照）。
【０００４】
特許文献１に記載の工具は、絶縁ヤットコの先端部（把持部）に取付け使用する。この工具は、爪部を有する脱抜部材と、円柱状のピンを有する保持部材とを有する。脱抜部材の爪部をナット脱落防止キャップとナットとの間に差込み、脱抜部材と保持部材とが近づくように絶縁ヤットコを操作すると、脱抜部材によりナット脱落防止キャップがピン側に押され、外れたナット脱落防止キャップがピンに入る。これによりナット脱落防止キャップを落下させることなく回収することができる。
【先行技術文献】
【特許文献】
【０００５】
【特許文献１】特開２０１２−１４３０２３号公報
【発明の概要】
【発明が解決しようとする課題】
【０００６】
特許文献１に記載の工具は、ナット脱落防止キャップを落下させることなく取外し、また回収することができる優れた工具であるが、脱抜部材の爪部をナット脱落防止キャップとナットとの間に差込む方法に改善の余地がある。さらにナット脱落防止キャップを落下させることなく取外すことができる工具が、ナット脱落防止キャップの取付けにも使用することができれば好ましいが、これまでこのような工具は開発されていない。
【０００７】
本発明の目的は、ナット脱落防止キャップを落下させることなく容易に取外し、また取付けも行えるナット脱落防止キャップ着脱先端具及びナット脱落防止キャップ着脱具を提供することである。
【課題を解決するための手段】
【０００８】
本発明は、左右に回動する把持部を備える操作具の前記把持部に装着し使用される、ボルトに取付けられたナット脱落防止キャップを取外し、又はボルトにナット脱落防止キャップを取付けるためのナット脱落防止キャップ着脱先端具であって、前記ナット脱落防止キャップを着脱する、前記把持部に取付けられる一対の着脱片と、前記一対の各着脱片に取付けられ、前記着脱片を前記操作具の把持部に装着するアダプタと、前記一対の各着脱片に取付けられ、前記ボルトから取外された前記ナット脱落防止キャップを落下させることなく保持する保持手段と、を備え、前記一対の着脱片は、前記操作具の前記把持部を閉じることで先端部がボルトに取付けられたナットと前記ナット脱落防止キャップとの間に差し込まれ、前記ナット脱落防止キャップの鍔部を押下げ可能であり、また先端部に前記ナット脱落防止キャップの鍔部を載置可能なことを特徴とするナット脱落防止キャップ着脱先端具である。
【０００９】
本発明のナット脱落防止キャップ着脱先端具は、操作具の把持部を閉じることで、一対の着脱片の先端部をナットとナット脱落防止キャップとの間に差し込むので左右から均等に力が加わり、一対の着脱片の先端部を簡単に差し込むことができる。これに加え、保持手段を有するので、ナット脱落防止キャップ着脱先端具を押し下げることで、ナット脱落防止キャップを落下させることなく簡単に取外すことができる。また一対の着脱片の先端部にナット脱落防止キャップの鍔部を載せることが可能なので、ナット脱落防止キャップを落下させることなく簡単にボルトに取付けることもできる。
【００１０】
本発明のナット脱落防止キャップ着脱先端具において、前記一対の各着脱片は、先端部に、前記ボルトの外径よりも大きく、かつ前記ナット脱落防止キャップの鍔部の外径よりも小さい半円状の切欠きを有することを特徴とする。
【００１１】
一対の着脱片の先端部にボルトの外径よりも大きく、かつナット脱落防止キャップの鍔部の外径よりも小さい半円状の切欠きを設けることで、着脱片の先端部をナット脱落防止キャップの鍔部により深く係止させることができる。これにより確実にナット脱落防止キャップを取外すことができる。また切欠きにより、着脱片先端部へのナット脱落防止キャップの載置も確実となり、ナット脱落防止キャップのボルトへの取付けも確実に行える。
【００１２】
本発明のナット脱落防止キャップ着脱先端具において、前記着脱片は、板状の部材で形成された、正面視において前記先端部を上面に有するコ字状の着脱部と、前記着脱部の下面の端部に連結する連結部とを有し、前記アダプタは、前記連結部に取付けられ、前記操作具の把持部を閉じると、前記一対の着脱片の先端部が互いに当接することを特徴とする。
【００１３】
本ナット脱落防止キャップ着脱先端具は、構成が単純であるから容易に実現することができ、本ナット脱落防止キャップ着脱先端具を使用することで簡単にまた確実にナット脱落防止キャップを取外し、また取付けることができる。
【００１４】
本発明のナット脱落防止キャップ着脱先端具において、前記保持手段は、前記一対の各着脱片の上面の下方に設けられた保持片であり、前記一対の各保持片は、それぞれ先端部に、前記ナット脱落防止キャップの円筒部の外径よりも大きく、かつ前記ナット脱落防止キャップの鍔部の外径よりも小さい半円状の切欠きを有すること特徴とする。
【００１５】
本ナット脱落防止キャップ着脱先端具は、着脱片の上面の下方に、ナット脱落防止キャップの円筒部の外径よりも大きく、かつナット脱落防止キャップの鍔部の外径よりも小さい半円状の切欠きが設けられた保持片を備えるので、ナット脱落防止キャップの鍔を保持片上に載置させることができる。これによりナット脱落防止キャップを落下させることなく簡単にまた確実に取外し、取付けることができる。
【００１６】
本発明のナット脱落防止キャップ着脱先端具において、前記保持手段は、前記着脱部の正面側及び裏面側を覆う内部が視認可能な部材であり、前記操作具の把持部を閉じたとき、一対の着脱部が空間部を形成し、当該空間部に前記ナット脱落防止キャップを保持可能なことを特徴とする。
【００１７】
本ナット脱落防止キャップ着脱先端具は、一対の着脱片が閉じられたとき、一対の着脱部が形成する空間部にナット脱落防止キャップを保持することができるので、ナット脱落防止キャップを落下させることなく回収することができる。
【００１８】
本発明のナット脱落防止キャップ着脱先端具は、さらに、小さいナット脱落防止キャップを取外し、又は取付けるための、前記一対の各着脱片に装着し使用する着脱片補助キャップを有し、前記着脱片補助キャップは、前記着脱片の先端部に嵌め込み可能に構成され、先端部に小さいナット脱落防止キャップに対応した大きさの切欠きが設けられていることを特徴とする。
【００１９】
着脱片補助キャップを使用することで、１つのナット脱落防止キャップ着脱先端具で大きさの異なるナット脱落防止キャップの取外し、又は取付けを確実に行うことができる。本発明によれば、着脱片補助キャップは、着脱片の先端部に嵌め込み可能なため使い勝手もよい。
【００２０】
本発明のナット脱落防止キャップ着脱先端具において、前記一対の各着脱片の先端部は、先細りの楔形状を有することを特徴とする。
【００２１】
本発明によれば、着脱片の先端部が先細りであるのでナットとナット脱落防止キャップとの間に差し込み易く、さらに楔形状であるので着脱片の先端部がナットとナット脱落防止キャップとの間に差し込まれると自然とナット脱落防止キャップが押下げられるので、容易にナット脱落防止キャップを取外すことができる。
【００２２】
また本発明は、前記ナット脱落防止キャップ着脱先端具と、前記ナット脱落防止キャップ着脱先端具が装着される、左右に回動する把持部を備える操作具と、を備え、前記操作具が間接活線工具であることを特徴とするナット脱落防止キャップ着脱具である。
【００２３】
本発明のナット脱落防止キャップ着脱具は、前記ナット脱落防止キャップ着脱先端具と絶縁ヤットコのような間接活線工具とで構成されるので容易に実現することができる。
【発明の効果】
【００２４】
本発明によれば、ナット脱落防止キャップを落下させることなく容易に取外し、また取付けも行えるナット脱落防止キャップ着脱先端具及びナット脱落防止キャップ着脱具を提供することができる。
【図面の簡単な説明】
【００２５】
【図１】本発明の第１実施形態のナット脱落防止キャップ着脱具１の正面図である。
【図２】図１のナット脱落防止キャップ着脱具１のナット脱落防止キャップ着脱先端具１１の斜視図である。
【図３】図２のナット脱落防止キャップ着脱先端具１１の切欠き２６等の寸法を説明するための図である。
【図４】図１のナット脱落防止キャップ着脱具１を使用し、ナット脱落防止キャップ１０１を取外す要領を説明するための図である。
【図５】図１のナット脱落防止キャップ着脱具１を使用し、ナット脱落防止キャップ１０１を取外す要領を説明するための図である。
【図６】図１のナット脱落防止キャップ着脱具１を使用し、ナット脱落防止キャップ１０１を取外す要領を説明するための図である。
【図７】図１のナット脱落防止キャップ着脱具１を使用し、ナット脱落防止キャップ１０１を取付ける要領を説明するための図である。
【図８】図２のナット脱落防止キャップ着脱先端具１１の変形例であるナット脱落防止キャップ着脱先端具１２の正面図である。
【図９】本発明の第２実施形態のナット脱落防止キャップ着脱先端具１３の要部斜視図である。
【図１０】本発明の第３実施形態のナット脱落防止キャップ着脱先端具１４の斜視図である。
【図１１】本発明の第３実施形態のナット脱落防止キャップ着脱具４の使用例を説明するための図である。
【図１２】本発明の第４実施形態のナット脱落防止キャップ着脱先端具１５の斜視図である。
【発明を実施するための形態】
【００２６】
図１は、本発明の第１実施形態のナット脱落防止キャップ着脱具１の正面図である。図２は、ナット脱落防止キャップ着脱具１のナット脱落防止キャップ着脱先端具１１の斜視図である。図３は、ナット脱落防止キャップ着脱先端具１１の切欠き２６等の寸法を説明するための図である。図４〜図６は、ナット脱落防止キャップ着脱具１を用いて、高圧ピン碍子１１１のボルト１１３に取付けられたナット脱落防止キャップ１０１を取外す要領を説明するための図である。図７は、ナット脱落防止キャップ着脱具１を使用し、ナット脱落防止キャップ１０１を取付ける要領を説明するための図である。
【００２７】
ナット脱落防止キャップ着脱具１は、ボルトに取付けられたナットの脱落を防止するナット脱落防止キャップ１０１を取外し、又はボルトにナット脱落防止キャップ１０１を取付ける際に使用する工具である。以下、腕金１２１に固定された高圧ピン碍子１１１のボルト１１３に取付けられたナット脱落防止キャップ１０１を例として説明する。
【００２８】
ナット脱落防止キャップ着脱具１は、ナット脱落防止キャップ１０１を取外し、又は取付けるナット脱落防止キャップ着脱先端具１１と、ナット脱落防止キャップ着脱先端具１１を操作する操作具７１とを有する。
【００２９】
ナット脱落防止キャップ着脱先端具１１は、ナット脱落防止キャップ１０１を着脱する一対の着脱片２１と、ナット脱落防止キャップ１０１を保持し、落下を防止する保持片３１と、着脱片２１の基端部に設けられたアダプタ６１とを有する。
【００３０】
着脱片２１は、高圧ピン碍子１１１のボルト１１３に取付けられたナット脱落防止キャップ１０１を取外す際に、ナット脱落防止キャップの鍔部１０３に引っ掛かる部材である。一対の着脱片２１は、左右同一であり、開閉自在に操作具７１の先端部に取付けられる。
【００３１】
着脱片２１は、金属製の板材からなり、正面視においてコ字状の形状を有する着脱部２３と、着脱部２３の下部に連結する連結部２４とを有する。連結部２４は、着脱部２３の開口側端部に直交するように設けられ、着脱部２３と連結部２４とは、板材を折り曲げ一体的に形成されている。但し、着脱部２３と連結部２４とを別々に製作した後、溶接等により連結してもよく、着脱部２３も板材を溶接等により連結し形成してもよい。
【００３２】
着脱部２３は、天井面２５の開口側端部に半円状の切欠き２６が設けられている。この切欠き２６は、ナット脱落防止キャップ１０１を取外す際にボルト１１３を挟み込み、着脱部の先端部２７を奥まで嵌め入れるために設けられている。
【００３３】
切欠き２６の直径ｄ２は、ボルト１１３の外径ｄ１と同一又はボルト１１３の外径ｄ１よりも僅かに大きく設定されている。天井面２５は、ナット脱落防止キャップ１０１を取外す際に、ナット脱落防止キャップの鍔部１０３を押し下げる部分となるため切欠き２６の直径ｄ２は、ナット脱落防止キャップの鍔１０３の直径ｄ３以下でなければならない。切欠き２６の直径ｄ２が、ナット脱落防止キャップの鍔部１０３の直径ｄ３以下であっても、切欠き２６の直径ｄ２を不必要に大きくすると鍔部１０３への掛かり代が少なくなるので好ましくない。またナット脱落防止キャップ１０１を取付ける際に、天井面２５でナット脱落防止キャップ１０１をぐらつかせることなく把持することができない。
【００３４】
着脱片２１の板厚さは、特定の厚さに限定されるものではなく、変形しない範囲内で薄い方が好ましい。板厚さが薄い方が、ナット１１５とナット脱落防止キャップ１０１との間に差し込み易い。さらに天井面の先端部２７は、ナット１１５とナット脱落防止キャップ１０１との間に差し込み易くすべく、先細りの楔形状となっている。
【００３５】
天井面２５の幅Ｗ１は、天井面２５にボルト１１３を挟み込むための半円の切欠き２６を設ける必要があるため、少なくとも切欠き２６の直径ｄ２以上の大きさが必要である。さらに着脱部の天井面２５の切欠き２６の周囲が、ナット脱落防止キャップ１０１を取外す際に、ナット脱落防止キャップの鍔部１０３を押し下げる部分となるため、この幅が狭いと鍔部１０３に十分に引っ掛からず、ナット脱落防止キャップ１０１を確実に押し下げることができない。一方、天井面２５の幅Ｗ１を不必要に大きくすると、不経済であることはもちろん、操作性が低下する。以上のことから、天井面２５の幅Ｗ１は、鍔１０３の直径ｄ３と同程度が好ましい。
【００３６】
天井面２５の長さＬ１は、後述の保持片３１を取付けることができる長さが必要であるため、少なくともナット脱落防止キャップの鍔部１０３の半径以上の長さが必要である。一方、不必要に長くすると不経済であることはもちろん、操作性が低下する。
【００３７】
着脱部２３の高さＨ１は、ナット脱落防止キャップ１０１の高さよりも高くする必要がある。後述するようにナット脱落防止キャップ１０１をボルト１１３に取付ける際は、保持片３１上にナット脱落防止キャップの鍔部１０３が載置する。この状態でナット脱落防止キャップの円筒部１０５の下端が、着脱部２３の底面２８に接触しないことが必要である。
【００３８】
着脱部２３の底面２８の長さＬ２と天井面２５の長さＬ１とは同一であり、天井面２５の開口部側端部（先端部２７）と底面２８の開口部側端部２９は、連結部２４と同一直線上にある。
【００３９】
連結部２４は、アダプタ６１を取付けるための部位であり平板状である。連結部２４は、基本的にアダプタ６１を取付けることができる大きさがあればよいが、長さＬ３は、操作性を悪化させない範囲内で長い方が好ましい。ナット脱落防止キャップ着脱先端具１１は、操作具７１の把持部７３に装着され、操作具７１を操作することで着脱片２１が操作具７１の把持部７３の回動軸８０を中心に回動する。このため連結部２４の長さＬ３が短いと曲率半径が小さくなり、着脱片２１の先端部２７をナット１１５とナット脱落防止キャップ１０１との間に差し込むことが難しくなる。
【００４０】
以上からなる着脱片２１は、操作具７１の把持部７３に装着された状態で、一対の着脱片２１が接するように閉じると、一対の着脱片２１の天井面先端部２７、一対の着脱片２１の底面先端部２９、及び連結部２４が互いに接する。このとき一対の着脱片２１の天井面２５は、同一平面（水平）となる（図５、図６参照）。
【００４１】
保持片３１は、ボルト１１３からナット脱落防止キャップ１０１を取外すとき、ナット脱落防止キャップ１０１が落下しないように保持する部材であり、各着脱片２１の天井面２５の裏側に取付けられている。なお、保持片３１は、ボルト１１３にナット脱落防止キャップ１０１を取付ける際にも使用される。
【００４２】
保持片３１は、段差部３２が設けられた金属製の板材であり、上面３３が着脱片２１の天井面２５の裏側に溶接付されている。保持片３１の下面部３４は、着脱片の天井面２５と平行であり、下面３４の幅Ｗ２は、着脱片２１の幅Ｗ１と同一である。下面３４は、ナット脱落防止キャップの鍔部１０３が載置する部分であり、長さは、ナット脱落防止キャップ１０１の鍔１０３の半径よりも長く設定されている。
【００４３】
段差部３２の高さは、以下の理由により、ナット脱落防止キャップの鍔部１０３の厚さよりも高く設定されている。
【００４４】
ナット脱落防止キャップ１０１を取外す際、又はナット脱落防止キャップ１０１を取付ける際に、ナット脱落防止キャップの鍔部１０３は保持片３１の下面３４の上に載る。このため段差部３２の高さは、少なくともナット脱落防止キャップの鍔部１０３の厚さ以上の高さが必要である。さらに着脱片２１をナット１１５とナット脱落防止キャップ１０１との間に差し込む際に、着脱片２１は円弧を描くように移動するため、段差部３２の高さが狭いと着脱片２１をうまく差し込むことができない。
【００４５】
一方、段差部３２の高さを極端に高くすると、ナット脱落防止キャップ１０１をボルト１１３に取付ける際に、ナット脱落防止キャップ１０１がボルト１１３の先端に引っ掛かる前に、着脱片の天井面２５がナット１１５に接触し、ナット脱落防止キャップ１０１を取付けることができなくなる。また段差部３２の高さを極端に高くし、ナット脱落防止キャップの円筒部１０５の高さを超えてしまうと、ナット脱落防止キャップ１０１を取外す際に、ナット脱落防止キャップ１０１が保持片３１に保持されない恐れがあるため、段差部３２の高さは、ナット脱落防止キャップの円筒部１０５の高さ以下とする必要がある。
【００４６】
保持片の下面３４の先端部３５には着脱片の天井面２５に設けられた切欠き２６と同様の半円状の切欠き３６が設けられている。この切欠き３６の直径ｄ４は、ナット脱落防止キャップの円筒部１０５が嵌り込むように円筒部１０５の外径ｄ５と同一又は円筒部１０５の外径ｄ５よりも僅かに大きく、着脱片の天井面２５に設けられた切欠き２６よりも大きい。
【００４７】
保持片の下面３４は、ナット脱落防止キャップ１０１を取外す際に、ナット脱落防止キャップの鍔部１０３を受ける部分となるため切欠き３６の直径ｄ４は、ナット脱落防止キャップの鍔部１０３の直径ｄ３以下でなければならない。切欠き３６の直径ｄ４が、ナット脱落防止キャップの鍔部１０３の直径ｄ３以下であっても、切欠き３６の直径ｄ４を不必要に大きくすると鍔部１０３への掛かり代が少なくなるので好ましくない。また保持片の下面３４にナット脱落防止キャップの鍔部１０３を載置し、ボルト１１３に取付ける際に、ナット脱落防止キャップ１０１がぐらつき安定しないので好ましくない。保持片３１に設けられた切欠き３６の半円の中心点は、着脱片の天井面２４に設けられた切欠き２５の半円の中心点と一致するように設けられている。
【００４８】
アダプタ６１は、ナット脱落防止キャップ着脱先端具１１を操作具７１の把持部７３に装着するための部材であり、着脱片の連結部２４の下部に取付けられている。アダプタ６１は、一面が開口した直方体形状の本体６２と、本体の上面６４に取付けられた係合ピン６５とを有する。
【００４９】
本体６２は、開口面６３が操作具７１の把持部７３への挿入口であり、把持部７３にしっかり固定することができるように把持部７３とほぼ同じ大きさの空間を有する。係合ピン６５は、ピン６６と円筒状の基台６７と、スプリング（図示省略）とを備える。本体の上面６４にピン６６が突出可能な貫通孔（図示省略）が設けられ、該貫通孔を覆うように基台６７が取付けられている。
【００５０】
係合ピン６５は、基台６７内に配置されたスプリングより、先端が本体６２内に突出するように付勢されている。ピン６６を本体６２側と反対方向に引き上げ、アダプタ６１を操作具７１の把持部７３に挿入し、ピン６６を離せば、ピン６６の先端部が、把持部７３に設けられた係止孔（図示省略）に嵌り込み、ナット脱落防止キャップ着脱先端具１１が操作具７１の把持部７３に固定される。
【００５１】
なお、アダプタ６１は、ナット脱落防止キャップ着脱先端具１１を操作具７１の把持部７３に安定的に取付けることができるものであればよく、上記実施形態に限定されるものではない。
【００５２】
またアダプタ６１は、ナット脱落防止キャップ着脱先端具１１を操作具７１の把持部７３に着脱可能に装着する手段であるから、アダプタ６１に代え、他の装着手段を用いてもよい。例えば、着脱片２１の連絡部２４に貫通孔を設け、さらに操作具７１の把持部７３に貫通孔又はねじ孔を設け、ボルト止めしてもよい。
【００５３】
操作具７１は、ナット脱落防止キャップ着脱先端具１１を支持し、着脱片２１を開閉するものであり、ここでは絶縁ヤットコ７１を使用する。絶縁ヤットコ７１は、間接活線工具の１つであり、先端部に把持部７３を有する。把持部７３は、固定把持片７４と可動把持片７７とからなり、固定把持片７４と可動把持片７７とは回動軸８０を介して回動自在に連結されている。
【００５４】
固定把持片７４は、外側に張り出すように湾曲しており、先端部７５はほぼ平坦となっている。固定把持片７４は、中央部において回動軸８０を介して可動把持片７７と連結し、基端部７６は、主操作棒８１に連結する。
【００５５】
可動把持片７７は、固定把持片７４に対向するように位置し、固定把持片７４と反対方向の外側に張り出すように湾曲しており、先端部７８はほぼ平坦となっている。可動把持片７７は中央部において回動軸８０を介して固定把持片７４と連結し、基端部７９は、連結軸８３を介して副操作棒８２に回動自在に連結する。
【００５６】
主操作棒８１及び副操作棒８２は、共に絶縁性の部材からなる長尺の棒状体であり、途中に水切り鍔（図示省略）が取付けられている。副操作棒８２の基端部には、副操作棒８２を動かすためのハンドルレバー（図示省略）が設けられており、ハンドルレバーを操作することで副操作棒８２が往復動する。これに伴い副操作棒８２に連結する可動把持片７７が、回動軸８０を中心に回動し、把持部７３が開閉する。
【００５７】
絶縁ヤットコ７１には、固定把持片７４の角度を可変可能な絶縁ヤットコなど種々の形態のものがある。絶縁ヤットコ７１は、ナット脱落防止キャップ着脱先端具１１を把持部７３に取付け可能であり、ナット脱落防止キャップ着脱先端具１１を開閉することができればよく特定の形態の絶縁ヤットコに限定されるものではない。また本実施形態では、操作具に絶縁ヤットコ７１を使用するが、絶縁ヤットコ７１と同様にナット脱落防止キャップ着脱先端具１１を取付け可能で、ナット脱落防止キャップ着脱先端具１１を安全に開閉することができれば他の間接活線工具であってもよい。
【００５８】
ナット脱落防止キャップ着脱具１を使用し、高圧ピン碍子１１１のボルト１１３に取付けられたナット脱落防止キャップ１０１を取外す要領を説明する。
【００５９】
絶縁ヤットコ７１のハンドルレバー（図示省略）を操作し、ナット脱落防止キャップ着脱先端具１１を開いた状態で、着脱片２１の天井面先端部２７の位置が、ナット１１５とナット脱落防止キャップ１０１との間となるようにナット脱落防止キャップ着脱具１を移動させる（図４参照）。
【００６０】
絶縁ヤットコ７１のハンドルレバー（図示省略）を操作し着脱片２１の間隔を狭め、着脱片２１の天井面先端部２７を、ナット１１５とナット脱落防止キャップ１０１との間に当接させる。この状態で一対の着脱片２１が近づくように絶縁ヤットコ７１を操作し、着脱片２１の天井面先端部２７を、ナット１１５とナット脱落防止キャップ１０１との間に嵌め込む。
【００６１】
その後、一対の着脱片２１の天井面先端部２７が互いに接するように絶縁ヤットコ７１を操作する。着脱片２１の天井面先端部２７は、先細りで楔形状となっているので、着脱片２１の天井面先端部２７を互いに近づけることで自然にナット脱落防止キャップ１０１は、押し下げられる。この状態で、ナット脱落防止キャップの鍔部１０３は、着脱片２１の天井面２５と保持片３１の下面３４との間に位置する（図５参照）。
【００６２】
一対の着脱片２１の天井面先端部２７が互いに当接した状態を保持し、ナット脱落防止キャップ着脱具１を下方に引き下ろす。これによりナット脱落防止キャップの鍔部１０３が着脱片２１の天井面２５に押され、ナット脱落防止キャップ１０１がボルト１１３から外れる。このときナット脱落防止キャップ１０１は、鍔部１０３が、着脱片２１と保持片３１との間に挟まれた状態で取外されるのでナット脱落防止キャップ１０１が落下することはない（図６参照）。
【００６３】
ナット脱落防止キャップ１０１を引き下ろす際は、一対の着脱片２１の天井面先端部２７が互いに当接した状態が好ましいが、一対の着脱片２１の天井面先端部２７同士が近接した状態であれば、ナット脱落防止キャップ１０１を落下させることなく取外すことができる。
【００６４】
次にナット脱落防止キャップ着脱具１を使用した、高圧ピン碍子１１１のボルト１１３へのナット脱落防止キャップ１０１の第１の取付要領を説明する。
【００６５】
絶縁ヤットコ７１を操作し、ナット脱落防止キャップ着脱具１を開き、一方の着脱片２１の天井面２５と保持片３１の下面３４との間にナット脱落防止キャップ１０１の鍔部１０３を嵌め込み、絶縁ヤットコ７１を操作し、ナット脱落防止キャップ着脱工具１を閉じる（図６参照）。
【００６６】
この状態でナット脱落防止キャップ着脱具１を持ち上げ、着脱片２１の２つの切欠き２６が形成する孔にボルト１１３の下部を差し込む。さらにナット脱落防止キャップ着脱具１を持ち上げ、ナット脱落防止キャップ１０１をボルト１１３に差込む。このとき保持片３１の下面３４がナット脱落防止キャップ１０１の鍔部１０３を保持しているのでナット脱落防止キャップ１０１を確実にボルト１１３に差込むことができる。
【００６７】
着脱片２１の天井面２５がナット１１５に接触するまで持ち上げた後、絶縁ヤットコ７１を操作し、ナット脱落防止キャップ着脱具１を開き、ナット脱落防止キャップ着脱具１を外す。この状態では、ナット１１５とナット脱落防止キャップ１０１との間には隙間があるので、ナット脱落防止キャップ着脱先端具１１を少し開き、着脱片２１の天井面２５を鍔１０３の下面に宛がい押し上げる。なお、鍔１０３を押し上げる代わりに、ナット脱落防止キャップ着脱先端具１１を完全に閉じ、着脱片２１の天井面２５でナット脱落防止キャップ１０１の円筒部１０５の底を押し上げてもよい。以上によりナット脱落防止キャップ１０１の取付けが完了する。
【００６８】
上記のナット脱落防止キャップ１０１の取付け方法は、着脱片２１の２つの切欠き２６が形成する孔がボルト１１３のガイドとなるので、ナット脱落防止キャップ１０１を簡単に取付けることができる。
【００６９】
ナット脱落防止キャップ着脱具１を使用した、高圧ピン碍子１１１のボルト１１３へのナット脱落防止キャップ１０１の第２の取付要領を説明する。
【００７０】
図７に示すように、絶縁ヤットコ７１を操作し、ナット脱落防止キャップ着脱工具１を開き、一方の着脱片の天井面２５の上にナット脱落防止キャップの鍔部１０３を載せ、ナット脱落防止キャップ着脱先端具１１を軽く閉じ、２つの着脱片２１でナット脱落防止キャップの円筒部１０５を把持する。
【００７１】
着脱片２１の２つの切欠き２６が形成する孔の直径ｄ２は、ナット脱落防止キャップの円筒部１０５の直径ｄ５よりも小さいため、ナット脱落防止キャップ着脱先端具１１を完全に閉じると、円筒部１０５が潰れ、ボルト１１３に差し込むことができない。ナット脱落防止キャップは鍔部１０３が着脱片２１の天井面２５の上に載っているので、ナット脱落防止キャップ着脱先端具１１は、ナット脱落防止キャップ１０１を軽く把持すればよい。
【００７２】
この状態でナット脱落防止キャップ着脱具１を持ち上げ、ナット脱落防止キャップ１０１をボルト１１３に差込み、ナット脱落防止キャップ１０１をナット１１５に接触させる。その後、ナット脱落防止キャップ着脱具１を開き、ナット脱落防止キャップ着脱具１を外す。なお、ナット脱落防止キャップ着脱具１を取外すとき、ナット脱落防止キャップ着脱先端具１１は、ナット脱落防止キャップ１０１を軽く把持しているので、そのままの状態でナット脱落防止キャップ着脱具１を下方に降ろし、外してもよい。
【００７３】
上記のように第１のナット脱落防止キャップ着脱工具１は、左右からボルト１１３を挟み込むように着脱片２１の先端部２７をナット１１５とナット脱落防止キャップ１０１との間に差し込むので、左右から均等に力が加わり、一対の着脱片２１の先端部２７を簡単に差し込むことができる。また着脱片２１には切欠き２６が設けられているので着脱片２１の先端部２７をより深く差し込むことが可能であり確実にナット脱落防止キャップ１０１を取外すことができる。さらに着脱片２１と保持片３１とでナット脱落防止キャップの鍔部１０３を挟み込むことができるので、取外し、又は取付けの際にナット脱落防止キャップ１０１が落下することがない。
【００７４】
図８にナット脱落防止キャップ着脱先端具１１の変形例としてのナット脱落防止キャップ着脱先端具１２の正面図を示す。図１〜図７に示す第１実施形態に示すナット脱落防止キャップ着脱具１及びナット脱落防止キャップ着脱先端具１１と同一の構成には同一の符号を付して説明を省略する。
【００７５】
ナット脱落防止キャップ着脱先端具１２の基本構成は、ナット脱落防止キャップ着脱先端具１１と同一であるが、ナット脱落防止キャップ着脱先端具を構成する着脱片２２の形態が異なる。
【００７６】
ナット脱落防止キャップ着脱先端具１２の着脱片２２は、天井面２５の末端部に連結部２４が連結した形態からなる。着脱片２２の天井面先端部２７には、着脱片２１と同様の切欠き２６が設けられ、先端部２７は、先細りとなっている。連結部２４は、天井面２５の末端部に傾斜するように設けられており、図８に示すように互いの着脱片２２の先端部２７を突き合わせた状態で、絶縁ヤットコ７１の把持部７３は、開いた状態である。
【００７７】
ナット脱落防止キャップ着脱先端具１２の機能、作用効果は、ナット脱落防止キャップ着脱先端具１１の機能、作用効果と同じである。基本的に、絶縁ヤットコ７１を操作することで一対の着脱片２２を開閉させ、互いの着脱片２２の先端部２７を突き合わせ可能で、先端部２７を突き合せたとき互いの着脱片２２の上面２５が同一平面（水平）となればよく、先端部２７を突き合わせたとき、絶縁ヤットコ７１の把持部７３が開いた状態であってもよい。ナット脱落防止キャップ着脱先端具１２は、形状が単純ゆえ、製作が容易である。
【００７８】
ナット脱落防止キャップ１０１は、ボルト１１３の外径ｄ１に応じて、円筒部１０５及び鍔部１０３の大きさが異なる。第１実施形態に示すナット脱落防止キャップ着脱工具１では、着脱片２１の切欠き２６の直径ｄ２がボルト１１３の外径ｄ１と同一又はボルト１１３の外径ｄ１よりも僅かに大きく、保持片３１の切欠き３６の直径ｄ４が円筒部１０５の外径ｄ５と同一又は円筒部１０５の外径ｄ５よりも僅かに大きくなっている。このため大きなナット脱落防止キャップ１０１を取付け又は取外すためのナット脱落防止キャップ着脱先端具１１を、小さなナット脱落防止キャップ１０１を取付け又は取外すために使用すると、切欠き２６とボルト１１３、切欠き３６と円筒部１０５との間に大きな隙間が生じ、ナット脱落防止キャップ着脱先端具１１内でナット脱落防止キャップ１０１が安定せず、取付け又は取外す際の操作が難しくなる。
【００７９】
大きさの異なるナット脱落防止キャップ１０１を取外し又は取付けるためには、その大きさに対応したナット脱落防止キャップ着脱先端具を製作することが望ましいが、コスト面で負担が大きい。以下に示す第２実施形態においては、着脱片２１及び保持片３１に装着可能な補助キャップを使用し、上記問題に対応する。
【００８０】
図９は、本発明の第２実施形態のナット脱落防止キャップ着脱先端具１３の要部斜視図である。以下、大きさの異なるボルトを、便宜上、ボルトの外径の大きい順に大ボルト、中ボルト、小ボルトとして説明する。図１〜図７に示す第１実施形態のナット脱落防止キャップ着脱先端具１１の構成と同一の構成には、同一の符号を付して説明を省略する。
【００８１】
着脱片２１及び保持片３１は、大ボルトのナット脱落防止キャップ用であり、第１実施形態に示す着脱片２１及び保持片３１である。一方、補助キャップは、小ボルトのナット脱落防止キャップ用である。中ボルトのナット脱落防止キャップ用の補助キャップも、小ボルトのナット脱落防止キャップ用の補助キャップと同じであり、小ボルトを中ボルトに置き換えればよい。
【００８２】
補助キャップは、着脱片２１及び保持片３１の先端部に装着し使用する着脱片補助キャップ４１及び保持片補助キャップ４６からなる。着脱片補助キャップ４１及び保持片補助キャップ４６は基本的に同じ形態からなるため、着脱片補助キャップ４１を用いて説明する。
【００８３】
着脱片補助キャップ４１は、先端に切欠き４４が設けられた、上下（図では前後）に配置された２枚の金属板４２の周囲の３面が金属板で覆われ箱状に形成され、反先端部が開口している。上下に配置された２枚の金属板４２の大きさは、着脱片２１の天井面２５の大きさと略同一である。上下に配置された２枚の金属板４２は、着脱片２１の天井面２５に隙間なく嵌り込むように、着脱片２１の天井面２５の厚さ分だけ離れている。
【００８４】
先端部４３に設けられた切欠き４４の大きさは、上下同じであり、小ボルトに対応すべく小ボルトの外径ｄ１と同一又は小ボルトの外径ｄ１よりも僅かに大きい大きさであり、着脱片２１の天井面２５に設けられた大ボルト用の切欠き２６よりも小さい。また先端部４３は、着脱片２１の天井面先端部２７と同様に、先細りで楔形状となっている。
【００８５】
保持片補助キャップ４６は、切欠き４９の大きさが、小ボルト用のナット脱落防止キャップの円筒部１０５の外径ｄ５と同一又は小ボルト用のナット脱落防止キャップの円筒部１０５の外径ｄ５よりも僅かに大きいことを除き、着脱片補助キャップ４１と同じ構成である。
【００８６】
使用の際は、開口した反先端部から着脱片補助キャップ４１及び保持片補助キャップ４６をそれぞれ各着脱片２１及び各保持片３１に差込み装着する。着脱片補助キャップ４１及び保持片補助キャップ４６は、着脱片２１及び保持片３１に隙間なく嵌り込むように形成されているので、差し込むだけであってもぐらつくことはない。着脱片補助キャップ４１及び保持片補助キャップ４６は、差し込まれて装着されているので交換も容易である。
【００８７】
以上のように大ボルト用の着脱片２１及び保持片３１に、小ボルトのナット脱落防止キャップ１０１用の補助キャップ、又は中ボルトのナット脱落防止キャップ１０１用の補助キャップを装着することで１つのナット脱落防止キャップ着脱具１で、大、中、小ボルトのナット脱落防止キャップ１０１に対応することができる。
【００８８】
図１０は、本発明の第３実施形態のナット脱落防止キャップ着脱先端具１４の斜視図である。図１１は、本発明の第３実施形態のナット脱落防止キャップ着脱具４の使用例を説明するための図である。図１〜図７に示す第１実施形態のナット脱落防止キャップ着脱具１及びナット脱落防止キャップ着脱先端具１１と同一の構成には、同一の符号を付して説明を省略する。
【００８９】
第３実施形態のナット脱落防止キャップ着脱先端具１４も第１実施形態のナット脱落防止キャップ着脱先端具１１と同様に、操作具７１に取付け使用するものであり、操作具７１に取付けることでナット脱落防止キャップ着脱具４となる。
【００９０】
ナット脱落防止キャップ着脱先端具１４は、大略的にはナット脱落防止キャップ着脱先端具１１と同じ構成からなるが、保持片３１を有しておらず、代わりに落下防止板５１を備える。
【００９１】
落下防止板５１は、薄い透明な樹脂板からなり、各着脱片２１の着脱部２３の表側を塞ぐように取付けられている。同様に各着脱片２１の着脱部２３の裏側にも、裏側を塞ぐように取付けられている。これにより着脱片２１の着脱部２３は、互いに対向する一面のみが開口している。なお、着脱片２１の幅Ｗ１は、ナット脱落防止キャップの鍔部１０３が落下防止板５１に接触しないように、ナット脱落防止キャップの鍔部１０３の直径ｄ３以上とする必要がある。
【００９２】
落下防止板５１には、基本的に荷重が加わらないので薄い板材でよい。透明な材料でなくてもよいが、ナット脱落防止キャップ１０１を視認できる点において、透明板が好ましい。板材に代えて、強度のあるフィルムを使用してもよい。
【００９３】
ナット脱落防止キャップ着脱先端具１４の使用方法を説明する。基本的な操作は、ナット脱落防止キャップ着脱先端具１１と同じである。
【００９４】
ナット脱落防止キャップ着脱先端具１４を操作具７１に取付け、一対の着脱片２１の天井面先端部２７をナット１１５とナット脱落防止キャップ１０１との間に挿入し、一対の着脱片２１の天井面先端部２７を互いに当接させ、ナット脱落防止キャップ着脱具４を下方に引き下ろす。これによりナット脱落防止キャップの鍔部１０３が着脱片２１の天井面２５に押され、ナット脱落防止キャップ１０１がボルト１１３から外れる。
【００９５】
外れたナット脱落防止キャップ１０１は、ナット脱落防止キャップ着脱先端具１４が形成する空間部５３内に保持されるのでナット脱落防止キャップ１０１を落下させることなく回収することができる。
【００９６】
ナット脱落防止キャップ着脱先端具１４を使用したナット脱落防止キャップ１０１のボルト１１３への取付要領は、第１実施形態に示した第２の取付要領と同じである。また第２実施形態で説明した補助キャップのうち着脱片補助キャップ４１は使用することができる。但し、ナット脱落防止キャップ着脱先端具１４の場合、落下防止板５１が取付けられているので、着脱片補助キャップ４１を使用する場合は、上下の金属板４２を先端部４３のみで連結する必要がある。
【００９７】
図１２は、本発明の第４実施形態のナット脱落防止キャップ着脱先端具１５の斜視図である。図１０に示す第３実施形態のナット脱落防止キャップ着脱先端具１４と同一の構成には、同一の符号を付して説明を省略する。
【００９８】
第４実施形態のナット脱落防止キャップ着脱先端具１５は、ナット脱落防止キャップ着脱先端具１４とほぼ同じ構成からなり、相違点は、落下防止板５１に代え、落下防止網５２が用いられている点にある。
【００９９】
落下防止網５２の目的及び機能は、落下防止板５１と同一であり、取外したナット脱落防止キャップ１０１をナット脱落防止キャップ着脱先端具１５が形成する空間部５３に保持することである。
【０１００】
落下防止網５２は、視認性を考慮し、ナット脱落防止キャップ１０１が抜け落ちない範囲で、目の粗い網を使用する。素材は樹脂であっても金属であってもよい。取付け要領は、落下防止板５１と同じである。
【０１０１】
ナット脱落防止キャップ着脱先端具１５の使用方法は、ナット脱落防止キャップ着脱先端具１４と同じであり、ナット脱落防止キャップ着脱先端具１５の作用効果もナット脱落防止キャップ着脱先端具１４と同じである。また着脱片補助キャップ４１を使用することができる点もナット脱落防止キャップ着脱先端具１４と同じである。
【０１０２】
第１〜第４実施形態のナット脱落防止キャップ着脱先端具１１、１２、１３、１４及びそれを備えるナット脱落防止キャップ着脱具を用いて説明したように本発明のナット脱落防止キャップ着脱先端具は、左右に回動する一対の着脱片、及びボルトから取外されたナット脱落防止キャップを落下させることなく保持する保持片、あるいは落下防止板、落下防止網などの保持手段を備えるので、ナット脱落防止キャップを落下させることなく簡単かつ確実に取外すことができる。またナット脱落防止キャップをボルトに取付けることもできるので使い勝手がよい。
【０１０３】
また左右に回動する一対の着脱片、保持片に切欠きを設けることで、より確実にナット脱落防止キャップを取外し、又は取付けることができる。また本発明のナット脱落防止キャップ着脱先端具は、構成が単純であり、また絶縁ヤットコのような操作具の把持部にナット脱落防止キャップ着脱先端具を装着することで本発明のナット脱落防止キャップ着脱具とすることができるので容易に実現可能である。さらに着脱片補助キャップを使用することで、大きさの異なるナット脱落防止キャップにも対応可能であり利便性に優れる。
【０１０４】
本発明に係るナット脱落防止キャップ着脱先端具及びナット脱落防止キャップ着脱具は、前記実施形態に限定されるものではなく、要旨を変更しない範囲で変更して使用することができる。また前記実施形態では、ボルトが高圧ピン碍子１１１のボルト１１３であったが、ボルトが高圧ピン碍子１１１のボルト１１３に限定されず、他のボルトであってもよいことは言うまでもない。
【符号の説明】
【０１０５】
１、４  ナット脱落防止キャップ着脱具
１１、１２、１３、１４、１５  ナット脱落防止キャップ着脱先端具
２１、２２  着脱片
２３  着脱部
２４  連結部
２５  天井面
２６  切欠き
２７  天井面先端部
３１  保持片
３４  下面
３５  下面の先端部
３６  切欠き
４１  着脱片補助キャップ
４４  着脱片補助キャップの切欠き
４６  保持片補助キャップ
４９  保持片補助キャップの切欠き
５１  落下防止板
５２  落下防止網
５３  空間部
６１  アダプタ
７１  操作具、絶縁ヤットコ
７３  把持部
１０１  ナット脱落防止キャップ
１０３  鍔部
１０５  円筒部
１１３  ボルト
１１５  ナット
【要約】
【課題】ナット脱落防止キャップを落下させることなく容易に取外し、また取付けも行えるナット脱落防止キャップ着脱先端具及びナット脱落防止キャップ着脱具を提供する。
【解決手段】左右に回動する把持部を備える操作具の把持部に装着し使用されるナット脱落防止キャップ着脱先端具１１であって、先端部２７が、ボルトに取付けられたナットと前記ナットの落下を防止するナット脱落防止キャップとの間に差し込まれる一対の着脱片２１と、前記一対の各着脱片２１の下部に取付けられた、前記着脱片２１を操作具の把持部に装着するアダプタ６１と、前記一対の各着脱片２１に取付けられた、前記ボルトから取外されたナット脱落防止キャップを落下させることなく保持する保持片３１とを備える。
【選択図】図２【図１】
0005897669.tif 000002
【図２】
0005897669.tif 000003
【図３】
0005897669.tif 000004
【図４】
0005897669.tif 000005
【図５】
0005897669.tif 000006
【図６】
0005897669.tif 000007
【図７】
0005897669.tif 000008
【図８】
0005897669.tif 000009
【図９】
0005897669.tif 000010
【図１０】
0005897669.tif 000011
【図１１】
0005897669.tif 000012
【図１２】
0005897669.tif 000013